(57)【要約】【課題】永久磁石が装置されたモータの回転子において、永久磁石を保護するとともに、製造コストを低減する。【解決手段】シャフト１にブッシュ２，５を嵌合して固定し、ブッシュ２に一対の永久磁石３を接着する。永久磁石３に、これより大径の熱収縮性を有する合成樹脂チューブ８を被せる。加熱によって合成樹脂チューブ８を収縮させて、永久磁石３を被覆する。合成樹脂チューブ８によって永久磁石３を保護することができる。加熱するだけで、合成樹脂チューブ８によって永久磁石３を被覆することができるので、永久磁石３を樹脂モールドする場合に比して、金型、射出成型機等の設備が不要であり、製造コストを大幅に低減することができる。【選択図】　　　　図１
2004023901.tif 000002
【特許請求の範囲】
【請求項１】
永久磁石が装着されたモータの回転子において、前記回転子に装着された永久磁石の外周を熱収縮性の合成樹脂チューブで被覆したことを特徴とするモータの回転子。
【請求項２】
前記合成樹脂チューブは、加熱による径方向の寸法の収縮率が加熱による軸方向の寸法の収縮率よりも大きいことを特徴とするモータの回転子。
【請求項３】
永久磁石が装着されたモータの回転子に、熱収縮性の合成樹脂チューブを被せ、加熱して前記合成樹脂チューブを収縮させて、前記回転子に装着された永久磁石の外周を前記合成樹脂チューブで被覆することを特徴とするモータの回転子の製造方法。
【請求項４】
前記合成樹脂チューブは、加熱による径方向の寸法の収縮率が加熱による軸方向の寸法の収縮率よりも大きいことを特徴とする請求項３に記載のモータの回転子の製造方法。
【発明の詳細な説明】
【０００１】
【産業上の利用分野】
本発明は、永久磁石が装着されたモータの回転子およびその製造方法に関するものである。
【０００２】
【従来の技術】
直流モータおよび交流モータにおいて、回転子側に永久磁石を装着したものがある。モータ用の永久磁石としては、フェライト焼結磁石、フェライトボンド磁石、Ｓｍ−Ｃｏ焼結磁石、Ｓｍ−Ｃｏボンド磁石、Ｎｄ−Ｆｅ焼結磁石、Ｎｄ−Ｆｅボンド磁石、アルニコ磁石等の種々の永久磁石が必要に応じて適宜選択されて使用されているが、その材質によっては、ひび、割れ、欠けが生じやすいものもある。回転子の永久磁石にひび、割れ、欠けが生じて、その破片がモータ内に脱落すると、固定子と回転子と隙間に詰まってシャフトが固着する等、重大な問題を引き起こす虞がある。特に、自動車の車載機器を駆動するためのモータでは、振動、高温等の過酷な環境おいて、高い信頼性、耐久性が要求されるため、このような回転子の永久磁石の損傷が問題となる。
【０００３】
そこで、従来、かかる車載用のモータにおいては、例えば図４および図５に示すようにような回転子を使用したものがある。図４および図５に示す回転子は、シャフト１の周囲にブッシュ２を介して永久磁石３が取付けられ、さらに、永久磁石３の周囲に合成樹脂層４が一体に形成されている。このように、合成樹脂層４によって永久磁石３の周囲を被覆することにより、永久磁石３を保護することができ、また、万一、永久磁石３にひび、割れ、欠けが生じた場合でも、その破片がモータ内部に脱落することがないので、永久磁石３の損傷によるシャフト１の固着等の不具合を確実に防止することができる。
【０００４】
このほか、シャフトに取付けられた永久磁石の周囲を薄肉の金属製カバーで覆って保護するようにした回転子を用いたものもある。
【０００５】
【発明が解決しようとする課題】
しかしながら、上記従来の永久磁石を合成樹脂層または金属製カバー等で覆うようにした回転子では、次のような問題がある。図４および図５に示す合成樹脂層４を一体に形成するものでは、合成樹脂層４を成形するために、金型、射出成型機等の生産設備が必要であり、多大なコストを必要とする。また、モータの固定子とのギャップに対して必要な寸法精度を確保することが困難であり、さらに、合成樹脂層４を射出成形する際に、回転子が高温にさらされるので、永久磁石３の磁気特性および接着剤の劣化等を考慮する必要がある。一方、永久磁石を金属製カバーで覆うものでは、やはり、寸法精度を確保することが困難であり、また、製造コストがかかる。
【０００６】
本発明は、上記の点に鑑みてなされたものであり、永久磁石を保護し、製造時の温度による永久磁石の特性劣化を防止し、かつ、製造コストを低減することができるモータの回転子およびその製造方法を提供することを目的とする。
【０００７】
【課題を解決するための手段】
上記の課題を解決するために、請求項１に係る発明は、永久磁石が装着されたモータの回転子において、前記回転子に装着された永久磁石の外周を熱収縮性の合成樹脂チューブで被覆したことを特徴とする。
このように構成したことにより、回転子に装着された永久磁石の外周に収縮前の合成樹脂チューブを被せて加熱すると、合成樹脂チューブが収縮して、永久磁石を被覆して保護する。
請求項２の発明に係るモータの回転子は、上記請求項１の構成において、前記合成樹脂チューブは、加熱による径方向の寸法の収縮率が加熱による軸方向の寸法の収縮率よりも大きいことを特徴とする。
このように構成したことにより、永久磁石に対する合成樹脂チューブの位置合わせを容易に行うことができる。
請求項３の発明に係るモータの回転子の製造方法は、永久磁石が装着されたモータの回転子に、熱収縮性の合成樹脂チューブを被せ、加熱して前記合成樹脂チューブを収縮させて、前記回転子に装着された永久磁石の外周部を前記合成樹脂チューブで被覆することを特徴とする。
このように構成したことにより、回転子に装着された永久磁石に、合成樹脂チューブを被せて加熱するだけで、容易に合成樹脂チューブで永久磁石を被覆することができる。
また、請求項４の発明に係るモータの回転子の製造方法は、上記請求項３の構成において、前記合成樹脂チューブは、加熱による径方向の寸法の収縮率が加熱による軸方向の寸法の収縮率よりも大きいことを特徴とする。
このように構成したことにより、永久磁石に対する合成樹脂チューブの位置合わせを容易に行うことができる。
【０００８】
【発明の実施の形態】
以下、本発明の一実施形態を図面に基づいて詳細に説明する。
本実施形態に係るモータの回転子について、図１および図２を参照して説明する。なお、図４および図５に示す従来例に対して、同様の部分に同一の符号を付して説明する。
【０００９】
図１および図２に示すように、本実施形態に係るモータの回転子では、モータのシャフト１の外周部に、円筒状のブッシュ２が圧入、接着されて固定されており、さらに、ブッシュ２の外周部に、ブッシュ２の外周面と同じ曲率の内周面を有する一対の略半割円筒状の永久磁石３が接着されて固定されている。また、シャフト１には、外径がブッシュ２より小径のブッシュ５が嵌合、接着されて、ブッシュ２に当接している。
【００１０】
シャフト１は、一端部に、略Ｄ字形断面を有する面取部６が形成され、その先端部にねじ部７が形成されている。永久磁石３は、Ｓｍ−Ｃｏ焼結磁石であり、ブッシュ２と軸方向の寸法が同じで、適当な接着剤を用いてブッシュ２に強固に接着されている。
【００１１】
一対の永久磁石２の外周は、熱収縮性の合成樹脂チューブ８で一体的に被覆されている。合成樹脂チューブ８は、ブッシュ５の中央部から永久磁石３およびブッシュ２の端面にわたって軸方向および径方向に延びて、これらを覆っている。
【００１２】
合成樹脂チューブ８は、加熱することによって収縮する熱収縮性を有する薄肉の合成樹脂製であり、例えば、ポリオレフィン等の合成樹脂に電子線を照射し、架橋を起こさせて形状記憶特性を付与することによって製造することができる。
【００１３】
本実施形態では、合成樹脂チューブ８として、電子線架橋軟質ポリオレフィン樹脂であって、収縮時間が短く、径方向の収縮率（５０％程度）に対して軸方向の収縮率（１５％程度）が小さく、難燃性で、薄肉、かつ、適度な柔軟性を有するものが使用されている。なお、合成樹脂チューブ８の材質については、このほか、使用条件、規格等を考慮して適宜選択することができる。
【００１４】
次に、本実施形態に係るモータの回転子の製造方法について、図３をも参照して説明する。
図３に示すように、シャフト１、ブッシュ２，５および永久磁石３を組付けたアセンブリに、所定の長さに切断した合成樹脂チューブ８（収縮前永久磁石３より大径）を被せ、これらを適当な治具等を用いて、位置決めして整列させる。このように治具等にセットしたものを高温槽、加熱炉、オーブン等によって高温雰囲気中で、あるいは、工業用ドライヤ等を用いて所定の収縮温度に加熱し、合成樹脂チューブ８を収縮させ、図１および図２に示すように、永久磁石３およびブッシュ２，５に密着させて、これらを被覆する。加熱温度、時間等の加熱条件は、合成樹脂チューブ８の種類、回転子の寸法、材質等に応じて適宜決定することができる。このようにして、モータの回転子を容易に製造することができる。
【００１５】
なお、永久磁石３の合成樹脂チューブ８に当接する部分に突起、エッジ等があると、収縮時等に合成樹脂チューブ８に亀裂が生じる場合があるので、そのような部分には、適宜、面取りまたはアールを設けるとよい。
【００１６】
以上のように構成した本実施形態の作用について次に説明する。
合成樹脂チューブ８によって永久磁石３を保護することができ、また、万一、永久磁石３にひび、割れ、欠けが生じた場合でも、その破片がモータ内部に脱落するのを確実に防止することができるので、モータの信頼性、耐久性を高めることができる。合成樹脂チューブ８は、加熱による径方向の寸法の収縮率が加熱による軸方向の寸法の収縮率よりも大きいので、永久磁石３に対する合成樹脂チューブ８の位置合わせを容易に行うことができる。
【００１７】
合成樹脂チューブ８は、熱収縮によって、薄肉の層を形成するので、モータの回転子と固定子とのギャップに対する影響が小さく、ブッシュ２、永久磁石３、固定子等の各部品の寸法精度については、モータの特性のみを考慮すればよい。合成樹脂チューブ８を熱収縮させるための加熱による永久磁石３の磁気特性および永久磁石３とブッシュ２との接着剤に対する影響もないので、これら特に考慮する必要がない。また、簡易な加熱装置のみ使用して容易に製造することができるので、従来の金型、射出成型機等の設備が不要となり、製造コストを大幅に削減することができる。
【００１８】
なお、本発明は、直流モータ、交流モータ、誘導モータ等のモータの種類にかかわらず、回転子に永久磁石を設けたものであれば、あらゆる種類のモータに適用することができる。また、永久磁石として、ひび、割れ、欠け等の問題を生じやすい鋳造磁石、焼結磁石を用いたものに特に適しているが、ボンド磁石、塑性加工磁石等のその他の形式の永久磁石を用いたものにも同様に適用することができる。
【００１９】
【発明の効果】
以上詳述したように、請求項１の発明に係るモータの回転子によれば、永久磁石を熱収縮性の合成樹脂チューブで被覆したので、永久磁石を保護するとともに、容易に製造することができ、製造コストを低減することができる。また、製造時の温度による永久磁石の劣化を防止することができる。
請求項２の発明に係るモータの回転子によれば、さらに、永久磁石に対する合成樹脂チューブの位置合わせを容易に行うことができる。
請求項３の発明に係るモータの回転子の製造方法よれば、回転子に装着された永久磁石に、合成樹脂チューブを被せて加熱するだけで、容易に合成樹脂チューブで永久磁石を被覆することができるので、回転子を容易に製造することができ、製造コストを低減することができる。
また、請求項４の発明に係るモータの回転子の製造方法によれば、さらに、永久磁石に対する合成樹脂チューブの位置合わせを容易に行うことができる。
【図面の簡単な説明】
【図１】本発明の一実施形態に係るモータの回転子を一部破断して示す側面図である
【図２】図１に示すモータの回転子の正面図である。
【図３】図１に示すモータの回転子において、合成樹脂チューブの熱収縮前の状態を示す図である。
【図４】従来のモータの回転子を一部破断して示す図である。
【図５】図４に従来の示すモータの回転子の正面図である。
【符号の説明】
３　　永久磁石
８　　合成樹脂チューブ
【図１】
2004023901.tif 000003
【図２】
2004023901.tif 000004
【図３】
2004023901.tif 000005
【図４】
2004023901.tif 000006
【図５】
2004023901.tif 000007